(57)【要約】【課題】収容部に収容された複数枚の紙葉類のうちの一部の紙葉類の先端が他の部材に乗り上げた状態であっても、全ての紙葉類を送出方向に対して規定の位置に整列させることが可能な紙葉類収容装置、及び紙葉類収容装置を備える紙葉類処理装置を提供する。【解決手段】紙幣収容カセット６０のガイド部材１００は、上側搬送ガイド板９４に設けられており、上側搬送ガイド板９４と一体に形成されている。ガイド部材１００は、上側搬送ガイド板９４の上面から上方へ垂直に延出する垂直板１０１と、垂直板１０１の側面から反対方向Ｄ１１へ突出するリブ１０２とを有し、送出ユニット７１の回動動作にともなって、ガイド部材１００の上端に先端部２０Ａが乗った状態の紙幣２０に対して、その先端部２０Ａを上側搬送ガイド板９４の端部９４Ａの下面側へ案内する。【選択図】図４
2019104607.tif 000002
【特許請求の範囲】
【請求項１】
複数枚の紙葉類を積載して収容可能な紙葉収容部と、
前記紙葉収容部に収容された最上位の紙葉類の上面から離間した離間位置と前記最上位の紙葉類の上面に接触する接触位置との間で変位可能であり、前記接触位置で回転駆動することにより前記最上位の紙葉類を前記紙葉収容部から所定の送出方向へ送り出す送出ローラーと、
前記紙葉収容部における前記送出方向側の側壁の上側に形成され、前記送出ローラーによって送り出された前記最上位の紙葉類を前記送出方向の下流側へ導く導出口と、
前記導出口の上端部を構成するとともに、前記送出方向とは反対方向へ延びて前記最上位の紙葉類の前記送出方向の先端部の上側に配置される延出部材と、
前記延出部材に設けられ、前記延出部材から上方へ延出するとともに前記導出口よりも前記反対方向へ延出するガイド部材と、を備える紙葉類収容装置。
【請求項２】
前記ガイド部材は、前記最上位の紙葉類の前記先端部が前記ガイド部材の上端に乗った状態で、前記送出ローラーが前記離間位置から前記接触位置に変位されたことによって前記最上位の紙葉類の上面に下方の力が付与された場合に、前記最上位の紙葉類の前記先端部を前記延出部材の下面側へ案内する、請求項１に記載の紙葉類収容装置。
【請求項３】
前記延出部材は、前記導出口の幅方向に延びる板状部材であり、
前記ガイド部材は、前記延出部材から上方へ延出する前記幅方向に延びる板状の垂直部、及び前記垂直部から前記反対方向へ突出する複数のリブを含み、
前記複数のリブは、前記幅方向に離間して設けられ、
前記送出ローラーが前記接触位置に変位した状態で、前記送出ローラーの外周部の一部が前記複数のリブの間の収容空間に配置される、請求項１又は２に記載の紙葉類収容装置。
【請求項４】
前記導出口よりも前記送出方向側に設けられた回動支点を中心に回動可能に支持され、前記幅方向に離間した一対のアーム部を有するホルダ部材と、を更に備え、
前記送出ローラーは、前記回動支点よりも回動端側の位置で前記一対のアーム部に回転可能に支持されている、請求項３に記載の紙葉類収容装置。
【請求項５】
前記ホルダ部材は、前記送出ローラーが前記回動支点よりも上側に配置される第１位置と、前記送出ローラーが前記回動支点よりも前記反対方向へ離間した位置に配置される第２位置との間で回動可能であり、
前記ホルダ部材が前記第１位置にあるときに前記送出ローラーが前記離間位置に配置され、前記ホルダ部材が前記第２位置にあるときに前記送出ローラーが前記接触位置に配置される、請求項４に記載の紙葉類収容装置。
【請求項６】
前記ホルダ部材が前記第１位置に配置された状態で、前記ガイド部材の前記垂直部が前記一対のアーム部の間の隙間に挿通される、請求項５に記載の紙葉類収容装置。
【請求項７】
前記複数のリブは、鉛直方向に対して前記送出方向側へ傾斜する第１傾斜部を有する、請求項３から６の何れかに記載の紙葉類収容装置。
【請求項８】
前記複数のリブは、当該リブの下端から前記反対方向へ向けて斜め上方へ延出する第２傾斜部を有し、
前記第１傾斜部は、前記第２傾斜部の先端から前記送出方向側へ傾斜している、請求項７に記載の紙葉類収容装置。
【請求項９】
請求項１から８のいずれかに記載の紙葉類収容装置を備え、前記紙葉類収容装置から送り出された紙葉類を予め定められた放出口へ向けて搬送する紙葉類処理装置。
【発明の詳細な説明】
【技術分野】
【０００１】
本発明は、紙幣や金券などの紙葉類を収容可能な紙葉類収容装置、及び紙葉類収容装置を備える紙葉類処理装置に関する。
【背景技術】
【０００２】
発券機や両替機、各種自動販売機等は、紙幣を払い出す出金機能を有する紙幣処理装置（紙葉類処理装置）を備えている。前記紙幣処理装置は、出金するための紙幣を収容する紙幣収容カセット（紙葉類収容装置）を備えており、この紙幣収容カセットから必要な枚数の紙幣を装置内部の搬送路へ向けて順次送り出し、当該紙幣を前記搬送路に沿って紙幣放出口まで搬送する。
【０００３】
この種の紙幣処理装置には、入金のために投入された紙幣を前記紙幣収容カセットに集積しつつ、当該紙幣収容カセットから出金用の紙幣を送り出す循環収容タイプのものと、投入された紙幣と出金のための紙幣とを別々に収容する独立収容タイプのものとが知られている。いずれのタイプの紙幣処理装置においても、前記紙幣収容カセットに出金用の紙幣が無くなると、前記紙幣収容カセットの紙幣収容部に紙幣を補充する必要がある。
【０００４】
従来、循環収容タイプの紙幣処理装置として、投入された紙幣が幅方向に変位した場合であっても、紙幣収容部において幅方向の中央部に紙幣を整列させることが可能な装置が知られている（特許文献１参照）。
【先行技術文献】
【特許文献】
【０００５】
【特許文献１】特開２０１０−２４４４０１号公報
【発明の概要】
【発明が解決しようとする課題】
【０００６】
ところで、紙幣収容カセットの紙幣収容部に複数枚の紙幣が装填された際に、紙幣の状態（皺や折れ具合等）によっては、紙幣が正しい装填位置にセットされない場合がある。例えば、最上位の紙幣の送出方向の先端が、紙幣を外部へ案内する給送ガイドの上部に乗り上げた状態になることがある。このような紙幣の乗り上げに気づかずに紙幣収容カセットが紙幣処理装置に装着されて、紙幣の送り出し処理が行われると、紙幣収容カセット内で紙幣が詰まったり、紙幣が破損するという問題が生じる。
【０００７】
本発明の目的は、収容部に収容された複数枚の紙葉類のうちの一部の紙葉類の先端が他の部材に乗り上げた状態であっても、全ての紙葉類を送出方向に対して規定の位置に整列させることが可能な紙葉類収容装置、及び紙葉類収容装置を備える紙葉類処理装置を提供することにある。
【課題を解決するための手段】
【０００８】
本発明の一の局面に係る紙葉類収容装置は、紙葉収容部と、送出ローラーと、導出口と、延出部材と、ガイド部材と、を備える。前記紙葉収容部は、複数枚の紙葉類を積載して収容可能に構成されている。前記送出ローラーは、前記紙葉収容部に収容された最上位の紙葉類の上面から離間した離間位置と前記最上位の紙葉類の上面に接触する接触位置との間で変位可能であり、前記接触位置で回転駆動することにより前記最上位の紙葉類を前記紙葉収容部から所定の送出方向へ送り出す。前記導出口は、前記紙葉収容部における前記送出方向側の側壁の上側に形成され、前記送出ローラーによって送り出された前記最上位の紙葉類を前記送出方向の下流側へ導く。前記延出部材は、前記導出口の上端部を構成するとともに、前記送出方向とは反対方向へ延びて前記最上位の紙葉類の前記送出方向の先端部の上側に配置される。前記ガイド部材は、前記延出部材に設けられ、前記延出部材から上方へ延出するとともに前記導出口よりも前記反対方向へ延出する。
【０００９】
本発明の他の局面に係る紙葉類処理装置は、前記紙葉類収容装置を備え、前記紙葉類収容装置から送り出された紙葉類を予め定められた放出口へ向けて搬送するように構成されている。
【発明の効果】
【００１０】
本発明によれば、収容部に収容された複数枚の紙葉類のうちの一部の紙葉類の先端が他の部材に乗り上げた状態であっても、全ての紙葉類を送出方向に対して規定の位置に整列させることが可能である。
【図面の簡単な説明】
【００１１】
【図１】図１は、本発明の実施形態に係る紙幣処理装置の内部構造を示す図である。
【図２】図２は、図１の紙幣処理装置が備える紙幣収容カセットを示す斜視図である。
【図３】図３は、図２の紙幣収容カセットの中央断面図である。
【図４】図４は、図２における要部ＩＶの拡大斜視図であり、送出ユニットを示す図である。
【図５】図５は、図３における要部Ｖの拡大断面図であり、送出ユニットを示す図である。
【図６】図６は、送出ユニットが紙幣を給送可能な給送位置に配置された状態を示す拡大斜視図である。
【図７】図７は、送出ユニットが紙幣を給送可能な給送位置に配置された状態を示す拡大断面図である。
【図８】図８は、紙幣の先端部がガイド部材の上端に乗った状態を示す図である。
【図９】図９は、送出ユニットが給送位置へ向けて押し下げられる過程で紙幣の先端部に送出ローラーが接触した状態を示す図である。
【図１０】図１０は、送出ユニットが給送位置へ向けて押し下げられたことにより送出ローラーが紙幣の先端部を下方へ押圧する状態を示す図である。
【図１１】図１１は、送出ユニットが給送位置に配置されたことにより紙幣の先端部が紙幣導出口に配置された状態を示す図である。
【発明を実施するための形態】
【００１２】
以下、適宜図面を参照して本発明の実施形態について説明する。なお、以下に説明される実施形態は本発明を具体化した一例にすぎず、本発明の技術的範囲を限定するものではない。
【００１３】
［紙幣処理装置１０］
本実施形態の紙幣処理装置１０（本発明の紙葉類処理装置の一例）は、発券機や両替機、ＡＴＭ、各種自動販売機等の紙幣取扱装置に用いられるものである。図１に示すように、紙幣処理装置１０は、紙幣入金部２１、識別部２２、二つの出金紙幣収容カセット６０（６０Ａ，６０Ｂ）、入金紙幣収容カセット２３、保留部２４、紙幣支払い部２５、及び紙幣搬送路５０を備えており、これらが紙幣処理装置１０の筐体１１に設けられている。ここで、出金紙幣収容カセット６０は、本発明の紙葉類収容装置の一例である。
【００１４】
紙幣入金部２１は、紙幣処理装置１０の正面１０Ａ（図１における左側の面）の上部に設けられている。紙幣入金部２１は、紙幣２０が載置される入金トレイ３１と、入金トレイ３１に載置された紙幣２０を取込部３２に案内する投入口２１Ａと、入金トレイ３１に載置された紙幣２０を内部に取り込む取込部３２とを備える。入金トレイ３１は、紙幣処理装置１０の正面１０Ａに設けられており、取込部３２は、筐体１１の内部において正面１０Ａの側の上部に設けられている。また、投入口２１Ａは正面１０Ａに形成されている。取込部３２は、入金トレイ３１に載置された紙幣２０をピックアップして識別部２２へ向かう給送方向へ紙幣２０を給送する給送機構３３を有する。この給送機構３３は、入金トレイ３１に載置された紙幣２０をピックアップするピックアップローラー、前記ピックアップローラーによってピックアップされた紙幣２０を前記給送方向へ給送する一対の搬送ローラー対などによって構成されている。取込部３２によって内部に取り込まれた紙幣２０は、後述の入金搬送路５１を通って識別部２２に搬送される。ここで、紙幣２０は、本発明の紙葉類の一例である。紙葉類の他の例として、金券や各種チケットなどが挙げられる。
【００１５】
紙幣搬送路５０は、筐体１１の内部を搬送される紙幣２０を所定の搬送方向へ案内するものであり、投入口２１Ａ、後述する放出口２５Ａ、識別部２２、二つの出金紙幣収容カセット６０、入金紙幣収容カセット２３、及び保留部２４を結んでいる。紙幣搬送路５０は、上述した入金搬送路５１と、７つの内部搬送路５２〜５８と、紙幣２０を放出口２５Ａへ案内する出金搬送路５９と、を含む。紙幣搬送路５０には、紙幣２０を搬送するための搬送ローラー対（不図示）が適宜設けられており、各搬送路の接続部Ｐ１や分岐部Ｐ２には紙幣２０の搬送経路を変更するためのフラップ（不図示）が適宜設けられている。モーターなどの駆動源からの回転駆動力を受けて前記搬送ローラー対が回転駆動し、前記フラップが所定の姿勢に変更されることにより、紙幣搬送路５０内の紙幣２０が紙幣搬送路５０に沿って所定の方向へ向けて搬送される。
【００１６】
入金搬送路５１は、投入口２１Ａから紙幣処理装置１０の背面１０Ｂ（図１における右側の面）へ向けて延出している。この入金搬送路５１に識別部２２が設けられている。
【００１７】
識別部２２は、搬送されてきた紙幣２０を識別するものであり、具体的には、紙幣２０の金種を判定する。また、識別部２２は、紙幣２０の真偽を判定するものであり、具体的には、紙幣２０が偽造紙幣か否か、紙幣２０が損傷等によって不使用なものであるか否か、を判定する。識別部２２は、内部に演算部を有しており、光学センサーや磁気センサー等を用いて、紙幣２０の光学パターン、磁気パターン、記番号、金額などを読み取り、読み取られた情報に基づいて前記演算部がその紙幣２０の金種や真偽を判定する。識別部２２を通過した紙幣２０は、入金搬送路５１に連続する内部搬送路５２に搬送される。
【００１８】
内部搬送路５２は、下向き湾曲形状に形成されており、識別部２２の下側に設けられた出金搬送路５９に接続している。また、内部搬送路５３は、内部搬送路５２と出金搬送路５９との接続部Ｐ１から分岐して、筐体１１の底面へ向かって下方へ延びている。内部搬送路５３の更に下方には、内部搬送路５３に連続する内部搬送路５４が形成されている。この内部搬送路５４に保留部２４が設けられている。
【００１９】
保留部２４は、搬送されてきた紙幣２０を単独或いは重ね合わせた束の状態で一時的に保留する部分である。例えば、出金紙幣収容カセット６０から順次送り出された出金用の複数枚の紙幣２０を束状にして保留し、或いは、投入口２１Ａから入金された一枚以上の紙幣２０を単独或いは束状にして保留する。なお、保留部２４に複数枚の紙幣２０を保留する場合、保留部２４に収容されている紙幣２０が一旦出金搬送路５９まで搬送され、また、出金搬送路５９で紙幣２０が上下に重ね合わさるように内部搬送路５２から出金搬送路５９に紙幣２０が搬送され、その後、出金搬送路５９において重ね合わされた束状の紙幣２０がスイッチバックされて、保留部２４まで搬送される。
【００２０】
入金紙幣収容カセット２３は、筐体１１の内部において背面１０Ｂ側の下部に設けられている。入金紙幣収容カセット２３は、紙幣処理装置１０の利用者によって入金された紙幣２０のみを収容するものである。つまり、利用者に支払われるべき紙幣２０は入金紙幣収容カセット２３には収容されていない。入金紙幣収容カセット２３の内部には、取り扱われる全ての金種の紙幣２０を積載して収容可能な収容部３９が設けられている。
【００２１】
紙幣入金部２１の投入口２１Ａから入金されて識別部２２で真券と判定された紙幣２０は、入金搬送路５１から内部搬送路５２を経て出金搬送路５９に搬送される。その後、紙幣２０は、出金搬送路５９においてスイッチバックされて、内部搬送路５３及び内部搬送路５４に搬送されて、保留部２４に収容される。そして、全ての紙幣２０が保留部２４に収容されると、その紙幣２０が一枚の場合は単独で、その紙幣２０が複数枚の場合は束の状態で、内部搬送路５４を上方へ搬送されて、内部搬送路５４の分岐部Ｐ２から分岐する内部搬送路５５を通って、入金紙幣収容カセット２３の収容部３９に収容される。一方、投入口２１Ａから入金された紙幣２０が偽券又は不使用な紙幣（リジェクト紙幣）と判定された場合、その紙幣２０は保留部２４に搬送されず、出金搬送路５９を通って紙幣支払い部２５から排出され、利用者に戻される。
【００２２】
なお、本実施形態では、紙幣処理装置１０が一つの入金紙幣収容カセット２３を備える構成について例示するが、紙幣処理装置１０は、取り扱い可能な紙幣２０の種類に応じた数の入金紙幣収容カセット２３を備えていてもよい。
【００２３】
本実施形態の紙幣処理装置１０は、投入された紙幣２０と出金のための紙幣２０とを別々に収容する独立収容タイプのものである。したがって、二つの出金紙幣収容カセット６０は、それぞれ、紙幣処理装置１０の利用者に支払われる紙幣２０のみを収容する。二つの出金紙幣収容カセット６０は、筐体１１の内部において背面１０Ｂ側に設けられており、詳細には、入金紙幣収容カセット２３の上側に設けられている。各出金紙幣収容カセット６０は、筐体１１の内部において上下二段となるように配置されている。二つの出金紙幣収容カセット６０のうち、上段に配置された上段カセット６０Ａ、及び下段に配置された下段カセット６０Ｂそれぞれには、予め定められた異なる金種の紙幣２０が収容されている。二つの出金紙幣収容カセット６０それぞれは、紙幣処理装置１０の筐体１１に対して着脱可能に構成されている。
【００２４】
なお、上段カセット６０Ａ及び下段カセット６０Ｂそれぞれに、同じ金種の紙幣２０が収容されていてもよい。また、本実施形態では、紙幣処理装置１０が二つの出金紙幣収容カセット６０を備える構成について例示するが、紙幣処理装置１０は、取り扱い可能な紙幣２０の種類に応じた数の出金紙幣収容カセット６０を備えていてもよい。
【００２５】
出金紙幣収容カセット６０の内部に収容された紙幣２０が全て支払われて無くなると、紙幣２０を補充するために、出金紙幣収容カセット６０が筐体１１から取り外される。このとき、背面１０Ｂに設けられた開閉カバー（不図示）が開けられて、出金紙幣収容カセット６０が背面１０Ｂ側から抜き出される。そして、所定の紙幣２０が出金紙幣収容カセット６０に装填されると、再び出金紙幣収容カセット６０が筐体１１に装着される。出金紙幣収容カセット６０が筐体１１に装着されると、出金紙幣収容カセット６０が備える不図示のコネクタが紙幣処理装置１０側のコネクタと電気的に接続される。また、出金紙幣収容カセット６０の各種ローラーなどの被駆動体に回転駆動力を伝達するために、出金紙幣収容カセット６０が備える入力ギヤと紙幣処理装置１０側の出力ギヤとが連結される。なお、筐体１１に対する出金紙幣収容カセット６０の装着構造については従来周知の構成であるため、ここでの説明は省略する。
【００２６】
筐体１１の内部には、各出金紙幣収容カセット６０それぞれの排出口９９（図３参照）から正面１０Ａ側へ延びる内部搬送路５６，５７が形成されている。内部搬送路５６，５７は、各出金紙幣収容カセット６０から送り出された紙幣２０を搬送するためのものである。上段カセット６０Ａから延出される内部搬送路５６は、正面１０Ａへ向けて概ね直線状に延びており、識別部２２の上側に形成された内部搬送路５８に接続部Ｐ３で接続している。また、下段カセット６０Ｂから延出される内部搬送路５７は、排出口９９から上方へ湾曲した後に上方へ延びており、接続部Ｐ３で内部搬送路５８に接続している。各出金紙幣収容カセット６０から送り出された紙幣２０は、内部搬送路５６，５７を通って内部搬送路５８に搬送される。
【００２７】
内部搬送路５８は、識別部２２の入口側で入金搬送路５１に合流している。そのため、各出金紙幣収容カセット６０から送り出された紙幣２０は、全て、識別部２２に搬入されて、識別部２２による判定の対象とされる。識別部２２で真券と判定された出金用の紙幣２０は、内部搬送路５２を経て出金搬送路５９に搬送される。この場合、支払われる紙幣２０が一枚である場合は、その紙幣２０は保留部２４に搬送されず、出金搬送路５９を通って紙幣支払い部２５から排出される。一方、支払われる紙幣２０が複数枚の場合は、出金搬送路５９においてスイッチバックされて、内部搬送路５３及び内部搬送路５４に搬送されて、保留部２４に収容される。そして、全ての紙幣２０が保留部２４に収容されると、複数枚の紙幣２０が束の状態で出金搬送路５９に戻されて、紙幣支払い部２５から排出される。
【００２８】
なお、出金用の紙幣２０が識別部２２において偽券又は不使用な紙幣（リジェクト紙幣）と判定された場合は、その紙幣２０は保留部２４に搬送された後に、保留部２４から入金紙幣収容カセット２３に収容される。
【００２９】
紙幣支払い部２５は、紙幣処理装置１０の正面１０Ａにおいて、紙幣入金部２１の下側に設けられている。紙幣支払い部２５は、支払われる紙幣２０が載置される出金トレイ３６と、保留部２４から搬送されてきた紙幣２０を外部に排出する一対の排出ローラー対３７とを備える。正面１０Ａには放出口２５Ａが形成されている。排出ローラー対３７は、回転駆動することによって、出金搬送路５９を搬送されてきた紙幣２０を放出口２５Ａから出金トレイ３６に排出し、これにより、紙幣２０が利用者に支払われる。
【００３０】
［出金紙幣収容カセット６０］
以下、図２乃至図７を参照して、出金紙幣収容カセット６０の構成について詳細に説明する。
【００３１】
図２及び図３に示すように、出金紙幣収容カセット６０は、内部に複数枚の紙幣２０を収容可能に構成されている。出金紙幣収容カセット６０は、直方体形状の箱形のカセット本体６１と、カセット本体６１に取り付けられたカバー６２と、を有する。カセット本体６１は、上面に開口６３が形成されている。カバー６２は、カセット本体６１の長手方向の一方端に設けられた回動軸６４（図３参照）を介してカセット本体６１に取り付けられている。これにより、カバー６２は、カセット本体６１の開口６３を覆う閉位置と、開口６３を開放する開位置との間で回動軸６４を中心に回動可能である。なお、図２及び図３では、カバー６２が開位置にある状態が示されている。
【００３２】
カセット本体６１の内部には、複数枚の紙幣２０を積載して収容するための紙幣収容部６５（本発明の紙葉収容部の一例）が区画されている。具体的には、紙幣収容部６５は、側壁６７と、一対の規制プレート６８と、リフト板６９と、によって区画されている。側壁６７及びリフト板６９は、例えば合成樹脂で構成されている。一対の規制プレート６８は、例えば板金部材で構成されている。側壁６７は、リフト板６９に載置された複数枚の紙幣２０における送出方向Ｄ１０の下流側の先端部２０Ａ（図８参照）を規制して揃えるものであり、前記送出方向Ｄ１０の下流側においてカセット本体６１の底板から上方へ垂直に延出している。ここで、前記送出方向Ｄ１０は、紙幣収容部６５に収容された紙幣２０が後述の給送機構７０によって送り出される方向である。一対の規制プレート６８は、紙幣２０における前記送出方向Ｄ１０とは反対方向Ｄ１１の後端部、及び紙幣２０における幅方向Ｄ１２（図２参照）の両端部を規制して揃えるものである。リフト板６９は、紙幣収容部６５の底部を構成する板状の部材である。リフト板６９の上面に複数枚の紙幣２０が積載される。
【００３３】
リフト板６９は、上下方向へ移動可能なようにカセット本体６１に支持されている。リフト板６９が上下方向へ移動すると、リフト板６９上の紙幣２０も上下方向へ昇降される。カセット本体６１には、リフト板６９を上方へ弾性的に付勢する付勢部材としての弾性部材８０（図８参照）が設けられている。ここで、図３では、弾性部材８０の図示が省略されている。弾性部材８０は、例えば、リフト板６９とカセット本体６１の底板との間に介在している。弾性部材８０は、例えばコイルバネや板バネなどのバネ部材であり、圧縮した状態でリフト板６９とカセット本体６１の底部との間に配置されている。このため、リフト板６９は、下方へ押圧されることにより弾性部材８０の付勢力に抗してカセット本体６１の底付近の下降位置（図３に示す位置）まで下降し、下方への押圧が解除されると弾性部材８０の付勢力によって上昇する。なお、本実施形態では、弾性部材８０がリフト板６９の下側に配置された構成を例示するが、リフト板６９を上方へ付勢する付勢力を付与するものであれば、弾性部材８０はいずれの箇所に設けられていてもよく、例えば、リフト板６９の前記幅方向Ｄ１２の両端部に設けられていてもよい。
【００３４】
また、カセット本体６１には、リフト板６９が前記下降位置まで押し下げられたときに、リフト板６９と係合して、リフト板６９を前記下降位置に保持するロック機構（不図示）が設けられている。リフト板６９が前記下降位置で保持されることにより、ユーザーは、複数枚の紙幣２０を容易に紙幣収容部６５に収容することができる。なお、前記ロック機構によるリフト板６９のロックは、カバー６２が前記開位置（図３に示す位置）から前記閉位置にされることにより解除される。例えば、カバー６２が前記閉位置まで回動にされたときに、カバー６２の裏面が不図示のリンク部材を押圧して作動させて、前記リンク部材によって前記ロック機構による係合が解除される。なお、前記ロック機構、及び前記ロック機構によるロックを解除するロック解除機構は、従来周知の構成であるため、ここでの説明は省略する。
【００３５】
カセット本体６１において、前記送出方向Ｄ１０側の端部の上側には、給送機構７０が設けられている。給送機構７０は、紙幣収容部６５に収容された複数枚の紙幣２０のうち、最上位の紙幣２０から順番に紙幣２０を一枚ずつ取り出して前記送出方向Ｄ１０へ向けて紙幣２０を送り出す。給送機構７０は、送出ユニット７１と、分離ローラー７２とを備えている。
【００３６】
図４及び図５に示すように、送出ユニット７１は、一対の送出ローラー７３と、フィードローラー７４と、ローラーホルダー７６と、を有する。ローラーホルダー７６は、本発明のホルダ部材の一例である。
【００３７】
ローラーホルダー７６は、カセット本体６１に設けられた一対の支持部材８１に取り付けられている。一対の支持部材８１は、カセット本体６１において前記送出方向Ｄ１０側の端部に設けられており、互いに対向するように前記幅方向Ｄ１２に隔てられた板状の部材である。一対の支持部材８１を前記幅方向Ｄ１２へ架け渡すように回転軸８３が設けられている。回転軸８３は、後述する紙幣導出口９３よりも前記送出方向Ｄ１０の下流側に設けられている。この回転軸８３に、ローラーホルダー７６が回動可能に支持されている。なお、回転軸８３は、本発明の回動支点の一例である。
【００３８】
ローラーホルダー７６は、前記幅方向Ｄ１２に離間した一対のアーム部８５を有する。アーム部８５の基端部８６に軸孔が形成されており、その軸孔に回転軸８３が挿通されている。また、回転軸８３には、一対のアーム部８５によって挟まれるように、フィードローラー７４が取り付けられている。フィードローラー７４は、回転軸８３の中央に取り付けられている。出金紙幣収容カセット６０が紙幣処理装置１０に装着された状態で、紙幣処理装置１０から不図示の駆動伝達機構を介して、回転軸８３に回転駆動力が伝達される。これにより、フィードローラー７４が紙幣２０を給送する方向へ回転する。
【００３９】
各アーム部８５において、基端部８６よりも回動端８７側に送出ローラー７３が回転可能に支持されている。送出ローラー７３の外周面は、紙幣２０を容易に取り出し易くするためにエラストマーまたはゴムなどの弾性部材で形成されている。各アーム部８５において、基端部８６よりも回動端８７側に回転軸８９が設けられている。回転軸８９は、一対のアーム部８５の間に架け渡されている。この回転軸８９に送出ローラー７３が取り付けられている。本実施形態では、一対の送出ローラー７３は、回転軸８９の中央に取り付けられており、回転軸８９の軸方向に所定の隙間を隔てて配置されている。
【００４０】
ローラーホルダー７６には、回転軸８３に伝達された回転駆動力を回転軸８９に伝達するベルト駆動機構９０が設けられている。ベルト駆動機構９０は、回転軸８３に設けられたプーリー８３Ａ、回転軸８９に設けられたプーリー８９Ａ、及びプーリー８３Ａとプーリー８９Ａとの間に巻回されたベルト９２により構成されている。したがって、回転軸８３に伝達された回転駆動力は、ベルト駆動機構９０を介して回転軸８９に伝達され、これにより、送出ローラー７３がフィードローラー７４と同じ方向へ回転する。
【００４１】
本実施形態では、送出ユニット７１は、送出ローラー７３による紙幣２０の送り出しが可能な給送位置（図６、図７参照）と、送出ローラー７３が紙幣２０から上方へ離間して紙幣２０の送り出しができない退避位置（図４、図５参照）との間で回動可能である。
【００４２】
前記給送位置は、図６及び図７に示す位置であって、回転軸８３よりも前記反対方向Ｄ１１へ離間した位置に送出ローラー７３が配置される位置である。当該給送位置は、本発明の第２位置の一例である。また、送出ユニット７１が前記給送位置に配置された状態で、ローラーホルダー７６の各アーム部８５は、前記反対方向Ｄ１１へ水平に延びる姿勢となる。このとき、ローラーホルダー７６は紙幣収容部６５へ迫り出すように延び、そして、回動端８７及び送出ローラー７３は紙幣収容部６５の上部に配置される。これにより、送出ローラー７３のローラー面が紙幣収容部６５に収容された最上位の紙幣２０の上面に接触可能となる。つまり、送出ユニット７１が前記給送位置にあるときに、送出ローラー７３が最上位の紙幣２０の上面に接触可能な接触位置に配置される。
【００４３】
一方、前記退避位置は、図４及び図５に示す位置であって、回転軸８３よりも上側の位置に送出ローラー７３が配置される位置である。当該退避位置は、本発明の第１位置の一例である。送出ユニット７１が前記給送位置に配置された状態で、ローラーホルダー７６の回動端８７が上方へ持ち上げられると、送出ユニット７１が前記退避位置へ向けて回動する。これにより、送出ローラー７３のローラー面が紙幣収容部６５に収容された最上位の紙幣２０から上方へ離間する。つまり、送出ユニット７１が前記退避位置にあるときに、送出ローラー７３が最上位の紙幣２０の上面から離間した離間位置に配置される。送出ユニット７１が前記退避位置まで回動されると、送出ユニット７１は、紙幣収容部６５へ迫り出していた姿勢から、回転軸８３から上方へ延びた姿勢に姿勢変化する。このとき、送出ユニット７１に干渉することなく、紙幣収容部６５に紙幣２０を収容することができる。
【００４４】
図５に示すように、分離ローラー７２は、フィードローラー７４の下側に回転可能に設けられている。分離ローラー７２は、送出ローラー７３によって一度に複数枚の紙幣２０が取り出されて給送された場合に、その複数枚の紙幣２０のうち最上位の紙幣２０から他の紙幣２０を分離させる役割を担う。分離ローラー７２は、一対の支持部材８１に支持されている。分離ローラー７２は、フィードローラー７４のローラー面に圧接されている。
【００４５】
図４に示すように、紙幣収容部６５の側壁６７の上側には、送出ローラー７３によって送り出された最上位の紙幣２０を前記送出方向Ｄ１０の下流側へ導く紙幣導出口９３が形成されている。カセット本体６１には、側壁６７の上端部６７Ａから上方へ離間した位置に設けられた板状の上側搬送ガイド板９４が設けられており、紙幣導出口９３は、側壁６７の上端部６７Ａと上側搬送ガイド板９４とによって形成されている。上側搬送ガイド板９４は、本発明の延出部材の一例である。上側搬送ガイド板９４は、例えば合成樹脂で構成されている。上側搬送ガイド板９４は、紙幣導出口９３の上端部を構成する部材であり、また、紙幣導出口９３に進入した紙幣２０をフィードローラー７４と分離ローラー７２との圧接部へ案内する部材でもある。
【００４６】
図５に示すように、上端部６７Ａから前記送出方向Ｄ１０の下流側へ向けて、水平な下側搬送ガイド板９５が設けられている。下側搬送ガイド板９５は、側壁６７と一体に形成されている。下側搬送ガイド板９５は、カセット本体６１における前記送出方向Ｄ１０側の側面６１Ａまで延出している。下側搬送ガイド板９５は、その上側に離間して配置された上側搬送ガイド板９４との間に、紙幣２０が搬送される内部搬送路９６を形成する。内部搬送路９６は、側面６１Ａに形成された排出口９９に達しており、そのため、内部搬送路９６を前記送出方向Ｄ１０へ向けて送り出された紙幣２０は、排出口９９から外部へ排出される。また、下側搬送ガイド板９５には開口９８が形成されており、分離ローラー７２のローラー面が開口９８から内部搬送路９６に露出されている。
【００４７】
上側搬送ガイド板９４は、前記幅方向Ｄ１２に延びる板状部材である。この上側搬送ガイド板９４は、紙幣導出口９３から前記反対方向Ｄ１１へ延びており、紙幣収容部６５へ迫り出すように延出している。上側搬送ガイド板９４の前記反対方向Ｄ１１の端部９４Ａは、斜め上方へ傾斜しており、この端部９４Ａが側壁６７よりも前記反対方向Ｄ１１へ鍔状に迫り出している。一方、側壁６７の上端部６７Ａは、前記反対方向Ｄ１１に対して斜め下方へ傾斜している。このように傾斜した端部９４Ａと上端部６７Ａとによって紙幣導出口９３が形成されている。このため、紙幣導出口９３は、前記送出方向Ｄ１０へ向けて先細り形状となっている。これにより、送出ローラー７３によって送り出された紙幣２０が紙幣導出口９３に進入しやすくなり、内部搬送路９６に案内されやすくなる。
【００４８】
ところで、紙幣２０の補充のために、筐体１１から取り外された出金紙幣収容カセット６０に複数枚の紙幣２０が収容されたときに、紙幣２０の状態（皺や折れ具合等）によっては、紙幣２０が正しい位置にセットされない場合がある。例えば、最上位の紙幣２０の送出方向Ｄ１０の先端部２０Ａ（図８参照）が、紙幣導出口９３の上端部を構成する上側搬送ガイド板９４の上部に乗り上げた状態になる場合がある。このような紙幣２０の乗り上げに気づかないまま、出金紙幣収容カセット６０が紙幣処理装置１０に装着されると、紙幣２０の送り出し処理時に、出金紙幣収容カセット６０内で紙幣２０が詰まったり、紙幣２０が破損するという問題が生じる。これに対して、本実施形態では、出金紙幣収容カセット６０に後述するガイド部材１００（図５参照）が設けられているため、出金紙幣収容カセット６０の紙幣収容部６５に収容された複数枚の紙幣２０のうち最上位の紙幣２０の先端部２０Ａが上側搬送ガイド板９４に乗り上げた状態であっても、乗り上げた紙幣２０を含む全ての紙幣２０が前記送出方向Ｄ１０に対して規定の位置に整列させることができる。その結果、出金紙幣収容カセット６０において、紙幣２０の詰まりや紙幣２０の破損が防止される。
【００４９】
［ガイド部材１００］
以下、ガイド部材１００の構成について説明する。図５に示すように、ガイド部材１００は、上側搬送ガイド板９４に設けられており、上側搬送ガイド板９４と一体に形成されている。このガイド部材１００は、紙幣収容部６５の紙幣２０のうち最上位の紙幣２０の先端部２０Ａ（図８参照）を上側搬送ガイド板９４の端部９４Ａの下面側へ案内する役割を有している。具体的には、送出ユニット７１が前記退避位置にあるときに、最上位の紙幣２０の先端部２０Ａがガイド部材１００の上端に乗った状態であっても、送出ユニット７１が前記給送位置まで回動されて送出ローラー７３が前記接触位置に変位されたことによって最上位の紙幣２０の上面に下方の力が付与されると、ガイド部材１００は、その付与された力と協働して、最上位の紙幣２０の先端部２０Ａを端部９４Ａの下面側へ案内する。
【００５０】
図４及び図５に示すように、ガイド部材１００は、上側搬送ガイド板９４の上面から上方へ延出するとともに、紙幣導出口９３よりも前記反対方向Ｄ１１へ延出している。このガイド部材１００は、垂直板１０１（本発明の垂直部の一例）と、複数のリブ１０２とを有する。
【００５１】
垂直板１０１は、上側搬送ガイド板９４の上面から上方へ垂直に延出する板部材であり、上側搬送ガイド板９４において前記幅方向Ｄ１２の中央に設けられている。この垂直板１０１は、前記幅方向Ｄ１２に長い長方形状に形成されている。また、垂直板１０１は、フィードローラー７４よりも前記反対方向Ｄ１１側において、フィードローラー７４の外周面に対して所定の隙間を隔てて対向する位置に配置されている。上下方向において、垂直板１０１の上端は、フィードローラー７４の回転軸８３よりも上側であり、フィードローラー７４の外周部における上端よりも下側の位置に達している。
【００５２】
複数のリブ１０２は、垂直板１０１における前記反対方向Ｄ１１側の垂直な側面から前記反対方向Ｄ１１へ突出している。図４に示すように、複数のリブ１０２は、幅方向Ｄ１２に離間して設けられている。本実施形態では、同じ形状の３つのリブ１０２（１０２Ａ，１０２Ｂ，１０２Ｃ）が垂直板１０１に設けられている。垂直板１０１における前記幅方向Ｄ１２の両端にリブ１０２Ａ，１０２Ｂが一体に形成されている。そして、一方端のリブ１０２Ｂから中央側へ所定距離を隔てた位置にリブ１０２Ｃが形成されている。
【００５３】
リブ１０２Ａとリブ１０２Ｃとは、その間に形成された収容スペース１０４（本発明の収容空間の一例）に一対の送出ローラー７３が収容可能なように、前記幅方向Ｄ１２へ所定間隔を隔てて配置されている。このため、図６及び図７に示すように、送出ユニット７１が前記給送位置まで回動されて、送出ローラー７３が前記接触位置に配置されると、送出ローラー７３の外周部の一部が収容スペース１０４に配置される。詳細には、送出ローラー７３の外周部のうち、前記送出方向Ｄ１０側の一部が収容スペース１０４に配置される。
【００５４】
また、送出ユニット７１のローラーホルダー７６は、前記幅方向Ｄ１２に隔てられた一対のアーム部８５を備えているため、一対のアーム部８５間には隙間１０５が形成されている。この隙間１０５は、一対のアーム部８５と、送出ローラー７３と、フィードローラー７４とのよって囲まれた空間である。このため、図６に示すように、送出ユニット７１が前記給送位置まで回動されても、ガイド部材１００の垂直板１０１はローラーホルダー７６や送出ローラー７３、フィードローラー７４に干渉せず、隙間１０５に挿通される。
【００５５】
また、各リブ１０２には、上下方向（鉛直方向）に対して前記送出方向Ｄ１０側へ傾斜する上側傾斜部１０７が形成されている。上側傾斜部１０７は、本発明の第１傾斜部の一例である。この上側傾斜部１０７は、リブ１０２において前記反対方向Ｄ１１側の端部の下端から斜め上方へ直線的に延びた後に、リブ１０２の上部において前記送出方向Ｄ１０側へ突状に湾曲して、垂直板１０１の上端に達している。
【００５６】
更に、各リブ１０２には、前記反対方向Ｄ１１へ向けて斜め上方へ延出する下側傾斜部１０８が形成されている。下側傾斜部１０８は、リブ１０２の下側の端部に形成されている。下側傾斜部１０８は、本発明の第２傾斜部の一例である。下側傾斜部１０８は、上側搬送ガイド板９４の端部９４Ａと同じ傾斜角度で傾斜しており、側面視で端部９４Ａの傾斜面と連続するように前記反対方向Ｄ１１側へ傾斜している。本実施形態では、上側傾斜部１０７は、下側傾斜部１０８の前記反対方向Ｄ１１側の先端から前記送出方向Ｄ１０側へ斜め上方へ向けて傾斜している。
【００５７】
以下、図８乃至図１１を参照して、ガイド部材１００による紙幣２０の動作について説明する。ここで、図８乃至図１１は、送出ユニット７１の回動動作に伴って紙幣２０の姿勢が変化する状態を示す図である。なお、図８乃至図１１では、カバー６２の図示が省略されているが、いずれの図においてもカバー６２が開位置にあるものとする。
【００５８】
紙幣処理装置１０から出金紙幣収容カセット６０が取り外されて、紙幣収容部６５に紙幣２０を補充する場合、まず、送出ユニット７１が前記退避位置に配置され、その後、リフト板６９が弾性部材８０の付勢力に抗して前記下降位置まで押し下げられる。このとき、リフト板６９は、前記ロック機構によって前記下降位置に保持されている。この状態で、複数枚の紙幣２０が紙幣収容部６５に装填される。この場合、図８に示すように、最上位の紙幣２０の先端部２０Ａがガイド部材１００の上端に乗った状態になる場合がある。
【００５９】
図８に示す状態で、送出ユニット７１が前記退避位置から前記給送位置へ向けて回動されると、送出ローラー７３のローラー面が、ガイド部材１００の上端において紙幣２０の先端部２０Ａに接触する（図９参照）。このとき、送出ローラー７３から先端部２０Ａの上面に下方への力が付与される。この下方への力によって、紙幣２０の先端部２０Ａが下方へ躾けられ、紙幣２０は、先端部２０Ａがガイド部材１００のリブ１０２の上側傾斜部１０７に寄りかかった状態となる。また、ガイド部材１００の垂直板１０１の上端がローラーホルダー７６の隙間１０５に進入する。
【００６０】
そして、送出ユニット７１が更に前記給送位置へ向けて回動されると、送出ローラー７３が収容スペース１０４に進入し始める（図１０参照）。このとき、収容スペース１０４への送出ローラー７３の進入にともない、先端部２０Ａがリブ１０２の上側傾斜部１０７に接触しつつ上側傾斜部１０７を滑るように下方へ案内される。上述したように、リブ１０２は前記反対方向Ｄ１１へ向けて突出しており、上側傾斜部１０７が前記送出方向Ｄ１０へ斜め上方へ傾斜しているため、先端部２０Ａが上側傾斜部１０７を下方へ案内されると、紙幣２０が規制プレート６８へ向けて押し付けられる。これにより、紙幣２０の中央部分２０Ｂが上方へ若干撓まされる。
【００６１】
更に、送出ユニット７１が回動されて前記給送位置に配置されると、送出ローラー７３が先端部２０Ａを下方へ押し付けて、紙幣２０の先端部２０Ａがリブ１０２の下側まで案内される。このとき、紙幣２０の中央部分２０Ｂの撓みが元に戻ろうとする復元力によって、先端部２０Ａが紙幣導出口９３に進入する。つまり、最上位の紙幣２０の先端部２０Ａが端部９４Ａの下面側へ案内される。
【００６２】
その後、カバー６２が前記開位置から前記閉位置にされることにより、前記ロック機構によるロックが解除されると、リフト板６９とともに複数枚の紙幣２０が上方へ押し上げられる。上方に押し上げられた紙幣２０の先端部２０Ａは、紙幣導出口９３において、上側搬送ガイド板９４の端部９４Ａによって、それ以上上方へ押し上げられることが規制される。この状態で、出金紙幣収容カセット６０が紙幣処理装置１０に装着されて、フィードローラー７４及び送出ローラー７３が回転駆動されると、最上位の紙幣２０が紙幣導出口９３から内部搬送路９６を通って排出口９９まで円滑に給送される。
【００６３】
以上説明したように、本実施形態の紙幣処理装置１０の出金紙幣収容カセット６０は、上述した構成のガイド部材１００が設けられているため、紙幣収容部６５に収容された複数枚の紙幣２０のうち最上位の紙幣２０の先端部２０Ａがガイド部材１００の上端に乗り上げた状態であっても、送出ユニット７１の回動に伴いガイド部材１００が紙幣２０の先端部２０Ａを上側搬送ガイド板９４の端部９４Ａの下側へ案内する。その結果、紙幣２０の先端部２０Ａがガイド部材１００の上端に乗り上げた状態に気づかずにカバー６２が閉じられて、出金紙幣収容カセット６０が紙幣処理装置１０に装着されても、紙幣２０の送り出し処理時に、出金紙幣収容カセット６０内で紙幣２０が詰まったり、紙幣２０が破損するという問題は生じない。
【００６４】
また、送出ユニット７１が前記給送位置まで回動されて、送出ローラー７３が前記接触位置に配置されると、送出ローラー７３の外周部の一部が収容スペース１０４に配置される。そのため、ガイド部材１００が設けられていても、ローラーホルダー７６を前記送出方向Ｄ１０へ長く形成する必要がなくなり、送出ローラー７３とフィードローラー７４との間隔を長くする必要もない。
【００６５】
また、送出ユニット７１が前記給送位置まで回動されると、ガイド部材１００の垂直板１０１が隙間１０５に挿通されるので、ガイド部材１００を設けても、ガイド部材１００がローラーホルダー７６や送出ローラー７３、フィードローラー７４に干渉することが防止される。
【００６６】
なお、上述の実施形態では、出金紙幣収容カセット６０が紙幣処理装置１０の筐体１１に着脱可能な構成を例示したが、本発明はこの構成に限られない。例えば、出金紙幣収容カセット６０が筐体１１に固定された構成にも本発明は適用可能である。この場合、出金紙幣収容カセット６０が固定された状態で、カバー６２を開けることができ、紙幣２０を紙幣収容部６５に補充可能であればよい。
【００６７】
また、上述の実施形態では、投入された紙幣２０と出金のための紙幣２０とを別々に収容する独立収容タイプの紙幣処理装置１０を例示したが、本発明は、入金のために投入された紙幣２０を出金紙幣収容カセット６０に集積しつつ、当該出金紙幣収容カセット６０から出金用の紙幣２０を送り出す循環収容タイプのものにも適用可能である。
【符号の説明】
【００６８】
１０      ：紙幣処理装置
１１      ：筐体
２０      ：紙幣
２０Ａ    ：先端部
２３      ：入金紙幣収容カセット
６０      ：出金紙幣収容カセット
６１      ：カセット本体
６２      ：カバー
６５      ：紙幣収容部
６７      ：側壁
６７Ａ    ：上端部
６９      ：リフト板
７０      ：給送機構
７１      ：送出ユニット
７３      ：送出ローラー
７４      ：フィードローラー
７６      ：ローラーホルダー
８３      ：回転軸
８５      ：アーム部
８６      ：基端部
８７      ：回動端
８９      ：回転軸
９３      ：紙幣導出口
９４      ：上側搬送ガイド板
９４Ａ    ：端部
９５      ：下側搬送ガイド板
９９      ：排出口
１００    ：ガイド部材
１０１    ：垂直板
１０２    ：リブ
１０４    ：収容スペース
１０５    ：隙間
１０７    ：上側傾斜部
１０８    ：下側傾斜部
Ｄ１０    ：送出方向
Ｄ１１    ：反対方向
Ｄ１２    ：幅方向
【図１】
2019104607.tif 000003
【図２】
2019104607.tif 000004
【図３】
2019104607.tif 000005
【図４】
2019104607.tif 000006
【図５】
2019104607.tif 000007
【図６】
2019104607.tif 000008
【図７】
2019104607.tif 000009
【図８】
2019104607.tif 000010
【図９】
2019104607.tif 000011
【図１０】
2019104607.tif 000012
【図１１】
2019104607.tif 000013